(57)【要約】【課題】  適切なタイミングで記録媒体が装着されていないことを知らせる。【解決手段】  記録装置は、記録媒体が装着される装着手段と、前記記録媒体にデータを記録する記録手段と、外部から供給される電力を用いて電池を充電する充電手段と、前記装着手段に前記記録媒体が装着されていない場合に、前記外部からの電力供給が停止されたことに応じて所定の警告を出力する警告手段とを備える。【選択図】  図２
2014220547.tif 000002
【特許請求の範囲】
【請求項１】
記録媒体が装着される装着手段と、
前記記録媒体にデータを記録する記録手段と、
外部から供給される電力を用いて電池を充電する充電手段と、
前記装着手段に前記記録媒体が装着されていない場合に、前記外部からの電力供給が停止されたことに応じて所定の警告を出力する警告手段とを備える記録装置。
【請求項２】
前記警告手段は、前記充電手段により、所定時間以上、充電が行われた後、前記外部からの電力供給が停止されたことに応じて前記所定の警告を出力することを特徴とする請求項１に記載の記録装置。
【請求項３】
外部の電源と接続する接続手段を備え、
前記警告手段は、前記接続手段と前記外部の電源との接続が外れたことを検出した場合に、前記外部からの電力供給が停止されたと判別することを特徴とする請求項１に記載の記録装置。
【請求項４】
前記警告手段は、前記外部からの電力供給が停止されたときに、前記記録装置が電源オンの状態であった場合、前記警告を出力しないようにすることを特徴とする請求項１に記載の記録装置。
【請求項５】
前記データは動画データであることを特徴とする請求項１に記載の記録装置。
【請求項６】
前記データは音声データであることを特徴とする請求項１に記載の記録装置。
【請求項７】
前記記録媒体はメモリカードであり、前記装着手段は前記メモリカードが装着されるスロットを含むことを特徴とする請求項１に記載の記録装置。
【発明の詳細な説明】
【技術分野】
【０００１】
本発明は記録装置に関する。
【背景技術】
【０００２】
従来、動画像信号や音声信号をメモリカードなどの取り外し可能な記録媒体に記録する記録装置が知られている。この種の記録装置において、記録媒体が装着されていない場合に、その旨をユーザに警告する構成が知られている（例えば、特許文献１参照）。
【先行技術文献】
【特許文献】
【０００３】
【特許文献１】特開２００１−１４４９９９号公報
【発明の概要】
【発明が解決しようとする課題】
【０００４】
デジタルカメラやビデオカメラにおいては、メモリカードをスロットに格納する構成が一般的である。そのため、ユーザは、カメラの外観を見ただけではカードが装着されているのか否かを判別することができない。
【０００５】
そのため、カードが装着されていることを確認するため、カメラの電源を投入するか、或いは、カードロットのカバーを外して中を確認する必要があった。
【０００６】
本発明は前述の問題点に鑑み、記録媒体が装着されていないことを適切なタイミングでユーザに知らせることが可能な記録装置を提供することを目的としている。
【課題を解決するための手段】
【０００７】
本発明においては、記録媒体が装着される装着手段と、前記記録媒体にデータを記録する記録手段と、外部から供給される電力を用いて電池を充電する充電手段と、前記装着手段に前記記録媒体が装着されていない場合に、前記外部からの電力供給が停止されたことに応じて所定の警告を出力する警告手段とを備える。
【発明の効果】
【０００８】
本発明によれば、記録媒体が装着されていないことを適切なタイミングでユーザに知らせることが可能となる。
【図面の簡単な説明】
【０００９】
【図１】本発明の実施形態に係る記録装置の構成例を示すブロック図である。
【図２】警告処理を示すフローチャートである。
【図３】警告処理を示すフローチャートである。
【発明を実施するための形態】
【００１０】
以下、本発明の実施形態について図面を参照しながら説明する。
【００１１】
図１は、本実施形態に係る記録装置１００の構成例を示すブロック図である。記録装置１００は、デジタルカメラや携帯電話などの、ユーザが片手で簡単に携帯可能な装置である。
【００１２】
図１において、入力部１０１は、動画データや音声データを取得して出力する。本実施形態では、入力部１０１は記録装置１００の外部から供給された動画データや音声データを入力するが、入力部１０１を撮像部やマイクロフォンを含む構成とし、撮影された動画やマイクにより音声データを取得する構成としてもよい。
【００１３】
制御部１０２は、操作部１０３からの入力に応じて記録装置１００の動作全体を制御する。制御部１０２はマイクロコンピュータやメモリ等を含み、不図示の不揮発メモリに記憶されたコンピュータプログラム（ソフトウェア）に従って記録装置１００を制御する。また、制御部１０２は、記録再生部１０６との間でデータやコマンドを通信するための記録媒体インターフェイスを内蔵している。操作部１０３は、ユーザにより操作可能な各種のスイッチを含む。そして、操作部１０３は、ユーザによる各種の指示などを受理して制御部１０２へ通知する。また、操作部１０３は、電源スイッチや記録の開始、停止を指示するためのスイッチ、記録装置１００のモードを切り替えるためのスイッチ等を含む。
【００１４】
信号処理部１０４は、記録時においては、入力部１０１により入力された動画データや音声データをＭＰＥＧ等の公知の符号化形式に従って符号化して、その情報量を圧縮する。また、動画データや音声データを記録するために必要な処理を施す。また、信号処理部１０４は、再生時においては、再生された動画データや音声データを復号し、その情報量を伸張する。また、信号処理部１０４は、記録時において、符号化された動画データや音声データの符号量（データ量）の情報を制御部１０２に出力する。
【００１５】
メモリ１０５は、動画データや音声データを記憶する。記録装置１００の各ブロックは、メモリ１０５に対してアクセスすることにより、動画データや音声データを処理する。また、メモリ１０５は、動画データや音声データの他に、ファイルシステムの情報や、管理情報など、各種の情報を記憶し、更に、制御部１０２による制御のためのワークメモリ等の役割を果たす。
【００１６】
記録再生部１０６は、記録媒体１０８に対し、動画データや音声データ、或いは、各種の情報を書き込み、或いは、読み出す。記録再生部１０６は、記録時においては、メモリ１０５に蓄積された動画データや音声データを記録媒体１０８に書き込む。また、記録再生部１０６は、再生時においては、記録媒体１０８から動画データや音声データを読み出し、メモリ１０５に記憶する。本実施形態では、記録媒体１０８ハードディスク（ＨＤＤ）、フラッシュメモリカード等、ランダムアクセスの記録媒体である。また、不図示の装着、排出機構により、記録装置１００に対して記録媒体１０８を容易に装着、排出することができるように構成する。本実施形態では、記録媒体１０８をメモリカードとし、記録再生部１０６は、メモリカードが装着されるカードスロットを持つ。また、記録再生部１０６は、記録媒体１０８が装着されているか否かを検出し、検出結果を制御部１０２に出力する。
【００１７】
また、ユーザは、操作部１０３を操作することにより、記録装置１００の動作モードの切り替え、あるいは、動画データの記録開始、停止などを指示することができる。また、スピーカ１０７は、所定の動作音などを出力する。また、後述のように、記録媒体１０８が装着されていない場合にも所定の警告のための音声を出力する。表示部１０９は、動画や各種の情報を液晶パネル等の表示装置に表示する。データバス１１０は、記録装置１００の各部の間でデータや各種の制御コマンドなどを送受信するために用いられる。
【００１８】
充電部１１１は、コネクタ１１２を介してＡＣアダプタなどの外部電源２００から供給される電力を用いて電池１１３を充電する。コネクタ１１２は、不図示のケーブルを介して外部電源２００と装着された場合に、外部電源２００から電力供給を受け、充電部１１１に出力する。電池１１３はリチウムイオン電池などの電池であり、電池１１３からの電力が記録装置１００の各部に供給される。
【００１９】
次に、本実施形態における記録動作について説明する。まず、操作部１０３から動画データの記録モードへ移行する指示を受けると、記録装置１００を記録待機状態へ遷移し、記録開始の指示を待つ。そして、記録待機状態において、入力部１０１から入力された動画データに係る動画を表示部１０９に表示する。また、制御部１０２は、記録待機状態において、記録再生部１０６からの検出結果に基づいて、記録媒体１０８が装着されているか否かを判別する。そして、記録媒体が装着されていない場合、所定の警告情報を表示部１０９に表示する。記録待機状態において、操作部１０３から記録開始の指示が入力されると、信号処理部１０４は、入力部１０１により入力されてメモリ１０５に記憶された動画データを読み出して、動画データの符号化を開始する。そして、信号処理部１０４により、符号化されたデータをメモリ１０５に記憶する。
【００２０】
記録再生部１０６は、メモリ１０５から符号化データを読み出して、記録媒体１０８に記録する。動画の記録中に、操作部１０３から記録停止の指示を受けた場合は、制御部１０２は信号処理部１０４による動画データの符号化を停止する。
【００２１】
次に、本実施形態における、充電完了時の警告処理について説明する。ユーザが外部電源２００をコネクタ１１２に接続した場合、充電部１１１による電池１１３の充電が開始される。本実施形態では、記録装置１００が電源オフの状態においても、電池１１３の充電が行われる。また、電源オフの状態であっても、制御部１０２は記録媒体１０８が装着されているか否かの検出結果を保持している。
【００２２】
充電開始後、制御部１０２は電池が満充電となったか否かを判別し、満充電となった場合に、充電部１１１による充電を停止するように指示する。
【００２３】
図２は、このような充電動作中にコネクタ１１２と外部電源２００との接続が無くなり、外部電源２００からの電力の供給が停止されたことに応じて実行される処理を示すフローチャートである。なお、図２の処理は制御部１０２が各部を制御することにより実行される。
【００２４】
電力供給が停止されたことを検出した場合、制御部１０２は、記録装置１００の電源がオン中であるか否かを判別する（Ｓ２０１）。電源オン中の場合は、表示部１０９に記録媒体１０８が装着されているか否かの情報が表示されているため、そのまま処理を終了する。
【００２５】
また、記録装置１００が電源オフ状態である場合、制御部１０２は、記録媒体１０８が装着されているか否かを判別する（Ｓ２０２）。記録媒体１０８が装着されていた場合、そのまま処理を終了する。
【００２６】
記録媒体１０８が装着されていない場合、制御部１０２は、スピーカ１０７より所定の警告のための音を出力する（Ｓ２０３）。本実施形態では、所定の音を所定の時間出力する。
【００２７】
このように、本実施形態では、電池の充電のための外部からの電力供給が停止されたことに応じて、記録媒体が装着されていないことを示す警告を出力する。そのため、コネクタ１１２と外部電源２００との接続が無くなり、記録装置１００がユーザにより持ち出されるタイミングで、記録媒体が装着されていないことをユーザに知らせることができる。
【００２８】
次に、第２の実施形態を説明する。本実施形態でも、記録装置１００の構成は図１と同様である。本実施形態では、制御部１０２が内蔵のタイマを利用して、充電部１１１による充電開始からの経過時間を計測する。
【００２９】
図３は、充電動作中にコネクタ１１２と外部電源２００との接続が無くなり、外部電源２００からの電力の供給が停止されたことに応じて実行される処理を示すフローチャートである。なお、図３の処理は制御部１０２が各部を制御することにより実行される。
【００３０】
電力供給が停止されたことを検出した場合、制御部１０２は、記録装置１００の電源がオン中であるか否かを判別する（Ｓ３０１）。電源オン中の場合は、表示部１０９に記録媒体１０８が装着されているか否かの情報が表示されているため、そのまま処理を終了する。
【００３１】
また、記録装置１００が電源オフ状態である場合、制御部１０２は、記録媒体１０８が装着されているか否かを判別する（Ｓ３０２）。記録媒体１０８が装着されていた場合、そのまま処理を終了する。
【００３２】
記録媒体１０８が装着されていない場合、制御部１０２は、充電開始からの経過時間に基づいて、充電開始から、所定時間以上が経過しているか否かを判別する（Ｓ３０３）。充電部により所定時間以上、充電が行われていた場合、制御部１０２は、スピーカ１０７より所定の警告のための音を出力する（Ｓ３０３）。
【００３３】
このように、本実施形態では、所定時間以上、充電が行われた後、電力供給が停止されたことに応じて、記録媒体が装着されていないことを示す警告を出力する。そのため、コネクタ１１２と外部電源２００との接続が無くなり、記録装置１００がユーザにより持ち出されるタイミングで、記録媒体が装着されていないことをユーザに知らせることができる。
【図１】
2014220547.tif 000003
【図２】
2014220547.tif 000004
【図３】
2014220547.tif 000005